【手続補正書】
【提出日】平成16年4月1日(2004.4.1)
【手続補正１】
【補正対象書類名】明細書
【補正対象項目名】特許請求の範囲
【補正方法】変更
【補正の内容】
【特許請求の範囲】
【請求項１】
受信専用通信手段と、
双方向通信手段と、
前記受信専用通信手段により受信した受信データから前記双方向通信手段によってアクセスし得るアドレスを抽出し、前記双方向通信手段を用いて前記アドレスに存在するファイルを取り込むアクセス手段、
とを有すると共に、
前記受信専用通信手段は、前記受信データを記憶する記憶手段と、前記双方向通信手段及び前記アクセス手段と独立して電源駆動を行なう電源駆動手段を有することを特徴とする情報収集装置。
【請求項２】
前記双方向通信手段によってアクセスし得るアドレスは、インターネットのＵＲＬであることを特徴とする請求項１に記載の情報収集装置。
【請求項３】
前記受信専用通信手段はＤＡＲＣ規格のＦＭ文字放送を受信する受信機であって、
前記アクセス手段は、ＤＡＲＣ規格のＦＭ文字放送データのページデータに設けられたダミー領域に記述されたアドレスを抽出することを特徴とする請求項１に記載の情報収集装置。
【請求項４】
前記受信専用通信手段が受信した前記受信データまたは該受信データの一部のデータを表示する表示手段と、
前記表示手段に表示されたデータを選択する指示入力を受け付ける入力手段とを有すると共に、
前記アクセス手段は、前記入力手段により選択指示された受信データに含まれるアドレスを抽出して前記双方向通信手段によるアクセスを実行することを特徴とする請求項１に記載の情報収集装置。
【請求項５】
前記受信専用通信手段はＤＡＲＣ規格のＦＭ文字放送を受信する受信機であって、
前記表示手段は、前記ＦＭ文字放送のページデータのヘッダ文字列と本文文字列と共に、該ページデータのダミー領域に記述されたＵＲＬまたは該ＵＲＬにリンクするボタンを表示し、
前記入力手段はポインティングデバイスであって、前記表示されたＵＲＬまたは該ＵＲＬにリンクするボタンがポイント入力されることを検出し、
前記アクセス手段は、ポイント入力に基づいて対応するＵＲＬのファイルを取り込む動作を実行することを特徴とする請求項４に記載の情報収集装置。
【請求項６】
前記受信専用通信手段における電源駆動手段は、前記双方向通信手段、前記表示手段、前記入力手段及び前記アクセス手段とは独立して電源駆動を行なうことを特徴とする請求項４に記載の情報収集装置。
【請求項７】
受信専用通信手段と、
双方向通信手段と、
前記受信専用通信手段により受信した受信データから前記双方向通信手段によってアクセスし得るアドレスを抽出し、前記双方向通信手段を用いて前記アドレスに存在するファイルを取り込むアクセス手段と、
検索キーワードを登録するキーワード登録手段と、
前記登録されたキーワードを保存し、該キーワードを用いて前記受信データを検索する検索手段とを有すると共に、
前記アクセス手段は、前記登録されたキーワードが含まれる受信データについて該受信データに対応するアドレスを抽出して前記双方向通信手段によるアクセスを実行することを特徴とする情報収集装置。
【請求項８】
前記受信専用通信手段に、前記受信データを記憶する記憶手段を設けると共に、
前記受信専用通信手段及び前記検索手段とを駆動する駆動電源であって、前記双方向通信手段、前記キーワード登録手段及び前記アクセス手段の駆動電源とは独立して電源駆動を行なう電源駆動手段を有することを特徴とする請求項７に記載の情報収集装置。
【請求項９】
前記検索手段は、前記登録されたキーワードが含まれる受信データを抽出したときに、前記アクセス手段を起動する制御を行なうことを特徴とする請求項７に記載の情報収集装置。
【請求項１０】
前記検索手段により検索された受信データまたは該受信データの一部のデータを表示する表示手段と、
該表示手段に表示されたデータを選択する指示入力を受け付ける入力手段とを有すると共に、
前記アクセス手段は、前記入力手段により選択指示された受信データに対応するアドレスを抽出して前記双方向通信手段によるアクセスを実行することを特徴とする請求項７に記載の情報収集装置。
【請求項１１】
前記受信専用通信手段はＤＡＲＣ規格のＦＭ文字放送を受信する受信機であって、
前記表示手段は、前記ＦＭ文字放送のページデータのヘッダ文字列と本文文字列と共に、該ページデータのダミー領域に記述されたＵＲＬまたは該ＵＲＬにリンクするボタンを表示し、
前記入力手段はポインティングデバイスであって、前記表示されたＵＲＬまたは該ＵＲＬにリンクするボタンがポイント入力されることを検出し、
前記アクセス手段は、ポイント入力に基づいて対応するＵＲＬのファイルを取り込む動作を実行することを特徴とする請求項１０に記載の情報収集装置。
【請求項１２】
前記受信専用通信手段は、前記受信データを記憶する記憶手段を有すると共に、
前記受信専用通信手段および前記検索手段とを駆動する駆動電源であって、前記双方向通信手段、前記キーワード登録手段、前記表示手段、前記入力手段及び前記アクセス手段の駆動電源とは独立して電源駆動を行なう電源駆動手段を有することを特徴とする請求項１0 に記載の情報収集装置。
【請求項１３】
双方向通信手段、該双方向通信手段を用いて通信を実行するアクセス手段、キーワード登録入力を受け付けるキーワード登録手段とを有する情報処理装置と、受信専用通信装置との間に挿入して接続される受信情報処理装置であって、前記キーワード登録手段に登録されたキーワードを保存して、前記受信専用通信装置が受信したデータを該キーワードを用いて検索し、該キーワードを有する受信データを前記情報処理装置に転送することを特徴とする受信情報処理装置。
【請求項１４】
前記受信情報処理装置は、前記登録されたキーワードを含む受信データを抽出したときに、前記情報処理装置のアクセス手段を起動する制御を行なうことを特徴とする請求項１３に記載の受信情報処理装置。
【請求項１５】
前記受信専用通信装置が受信した受信データ形式を、前記情報処理装置が情報処理するためのデータ形式に変換するデータ形式変換部を有することを特徴とする請求項１３に記載の受信情報処理装置。
【請求項１６】
前記データ形式変換部は、ＤＡＲＣ規格のＦＭ文字放送データをＨＴＭＬ文書に変換することを特徴とする請求項１３に記載の受信情報処理装置。
【請求項１７】
ダミー領域を含む規格を有する送信データを送出する情報送信装置であって、
前記ダミー領域に、該送信系と独立した双方向通信系によりアクセスされるファイルのアドレスを記述して送信を行なうことを特徴とする情報送信装置。
【請求項１８】
前記送信データの規格はＤＡＲＣ規格のＦＭ文字放送であって、
ページデータのアドレス領域に前記アドレスを記述することを特徴とする請求項１７に記載の情報送信装置。
【請求項１９】
前記ファイルのアドレスはインターネットのＵＲＬであることを特徴とする請求項１７に記載の情報送信装置。
【請求項２０】
ＤＡＲＣ規格のＦＭ文字放送を受信する受信手段と、双方向通信手段とを備えたコンピュータに実行させるためのプログラムを記録したコンピュータ読取可能な記録媒体であって、
前記受信手段が受信したＦＭ文字放送データのページデータに設けられたダミー領域に記述されたアドレスを抽出する処理と、
前記双方向通信手段を用いて前記アドレスに存在するファイルを取り込む処理と、
をコンピュータに実行させるためのプログラムを記録したコンピュータ読取可能な記録媒体。
【請求項２１】
受信専用通信手段と、表示手段と、入力手段と、双方向通信手段とを備えたコンピュータに実行させるためのプログラムを記録したコンピュータ読取可能な記録媒体であって、
前記受信専用通信手段が受信した受信データまたは受信データの一部のデータを表示手段に表示する処理と、
前記表示手段に表示されたデータを選択する指示入力を入力手段より受け付ける処理と、
前記指示入力により選択指示された受信データに含まれるアドレスを抽出して前記双方向通信手段によるアクセスを実行する処理と、
をコンピュータに実行させるためのプログラムを記録したコンピュータ読取可能な記録媒体。
【請求項２２】
ＤＡＲＣ規格のＦＭ文字放送を受信する受信機と、表示手段と、ポインティングデバイスと、双方向通信手段とを備えたコンピュータに実行させるためのプログラムを記録したコンピュータ読取可能な記録媒体であって、
前記受信機が受信したＦＭ文字放送のページデータのヘッダ文字列と本文文字列と共に、該ページデータのダミー領域に記述されたＵＲＬまたは該ＵＲＬにリンクするボタンを表示する処理と、
前記表示されたＵＲＬまたは該ＵＲＬにリンクするホイント入力がポインティングデバイスよりなされることを検出する処理と、
前記ポイント入力に基づいて対応するＵＲＬのファイルを前記双方向通信手段を用いて取り込む処理と、
をコンピュータに実行させるためのプログラムを記録したコンピュータ読取可能な記録媒体。
【請求項２３】
受信専用通信手段と、入力手段と、双方向通信手段とを備えたコンピュータに実行させるためのプログラムを記録したコンピュータ読取可能な記録媒体であって、
前記入力手段により入力された検索キーワードを登録する処理と、
前記登録されたキーワードを用いて受信専用通信手段が受信したデータを検索する処理と、
該検索された、前記登録されたキーワードが含まれる受信データについて、該受信データに対応するアドレスを用いて前記双方向通信手段によりファイルを取り込む処理と、
をコンピュータに実行させるためのプログラムを記録したコンピュータ読取可能な記録媒体。
【請求項２４】
受信専用通信手段と、入力手段と、表示手段と、双方向通信手段とを備えたコンピュータに実行させるためのプログラムを記録したコンピュータ読取可能な記録媒体であって、
前記入力手段により入力された検索キーワードを登録する処理と、
前記登録されたキーワードを用いて受信専用通信手段が受信したデータを検索する処理と、
前記検索された、前記登録されたキーワードが含まれる受信データまたが該受信データの一部のデータを表示手段により表示する処理と、
該表示されたデータを選択する指示入力を入力手段より受け付ける処理と、
前記入力手段により選択指示された受信データに対応するアドレスを用いて前記双方向通信手段によりファイルを取り込む処理と、
をコンピュータに実行させるためのプログラムを記録したコンピュータ読取可能な記録媒体。
【請求項２５】
ＤＡＲＣ規格のＦＭ文字放送を受信する受信機と、ポインティングデバイスと、入力手段と、表示手段と、双方向通信手段とを備えたコンピュータに実行させるためのプログラムを記録したコンピュータ読取可能な記録媒体であって、
前記ＦＭ文字放送のページデータのヘッダ文字列と本文文字列と共に、該ページデータのダミー領域に記述されたＵＲＬまたは該ＵＲＬにリンクするボタンを前記表示手段に表示する処理と、
前記表示されたＵＲＬまたは該ＵＲＬにリンクするボタンが前記ポインティングデバイスによりポイント入力されるのを検出する処理と、
前記ポイント入力に基づいて対応するＵＲＬを用いて前記双方向通信手段によりファイルを取り込む処理と、
をコンピュータに実行させるためのプログラムを記録したコンピュータ読取可能な記録媒体。